(57)【要約】【課題】クリップを止着物に挟着した際、不用意にノック部が押されても筆記先端が軸筒の先端から突出しないようにした誤動作防止機能付きノック式筆記具を提供する。【解決手段】ノック部５のノックにより進退するよう筆記体を収納した軸筒１の側面に、軸筒の内方に移動するようノックストッパー１９を設ける。ノックストッパーの外面には、止着物により押されてノックストッパーを内方に移動させるよう押し込み突起２２が突設されている。該ノックストッパーの後端には、ノックストッパーが移動したとき、ノック部５の前進移動軌跡内に突出するよう当接部２４が設けられている。ノック部が不用意に押されても当接部に当たって筆記体は前進しない。【選択図】図１
2018192677.tif 000002
【特許請求の範囲】
【請求項１】
クリップを有する軸筒内に筆記体を進退可能に収納し、ノック部をノックすることにより筆記体を進退させて筆記先端を軸筒の先端から出没させるようにしたノック式筆記具において、軸筒の側面に軸筒の内方に移動可能に設けられたノックストッパーと、クリップを止着物に挟着したとき該止着物に押されてノックストッパーの後端を軸筒の内方に移動するようノックストッパーの外面に突出して形成された押し込み突起と、該ノックストッパーの後端が内方に移動したときノック部若しくは該ノック部の移動に連動する部材の前進移動軌跡内に突出するよう該ノックストッパーの後端に設けられた当接部を具備することを特徴とする誤動作防止機能付きノック式筆記具。
【請求項２】
上記軸筒の側面にはノックストッパーの押し込み突起は出没する長溝が設けられ、クリップの先端には、該押し込み突起に止着物を展張状態に押し付けるようクリップ凸部が設けられていることを特徴とする請求項１に記載の誤動作防止機能付きノック式筆記具。
【請求項３】
上記クリップ凸部は、上記長溝の両側に対向して位置する一対の突片を具備する請求項２に記載の誤動作防止機能付きノック式筆記具。
【請求項４】
上記ノックストッパーには長溝の内縁側に接する浮上防止片が設けられている請求項２または３に記載の誤動作防止機能付きノック式筆記具。
【請求項５】
上記ノックストッパーは、筒状のノックストッパー本体と該ノックストッパー本体の後端から延び外面に押し込み突起を形成した弾性片を有し、該弾性片は先端が外方に弾性的に傾斜しその後端が当接部となっている請求項１から４のいずれかに記載の誤動作防止機能付きノック式筆記具。
【請求項６】
上記ノックストッパーは、回転可能に軸筒に枢着された回転片を有し、該回転片の外面に押し込み突起が形成され、後端に当接部が形成され、該回転片の前部は、軸筒に設けた回転止めストッパーに対向している請求項１に記載の誤動作防止機能付きノック式筆記具。
【発明の詳細な説明】
【技術分野】
【０００１】
本発明は、ノック操作により筆記体を前進させて筆記先端を軸筒の先端から出するようにしたノック式筆記具において、筆記先端を後退させた状態でポケットやノート等に差し込んだとき、誤動作によりノック部を押しても筆記先端が突出しないようにした誤動作防止機能付きノック式筆記具に関するものである。
【背景技術】
【０００２】
軸筒の後端に設けたノック部をノックしてボールペンリフィールや液体マーカー、シャープペンシルその他の筆記体の筆記先端を軸筒の先部から出没させるようにしたノック式筆記具が広く用いられている。このようなノック式筆記具は、筆記先端を後退させ、クリップをポケットの縁やノートに挟み込んで持ち運ぶことができるが、ノック部が不用意に押されると、筆記先端が軸筒の先端から突出してしまうことがある。そのような事態を生じると、ポケットやノートがインクや芯で汚染されてしまう。そのため、不用意なノックを防止するようにした筆記具が提案されている（例えば特許文献１参照）。特許文献１等に示されている装置は、クリップをポケットの縁に差し込むとき、ノック部と一緒に軸筒の軸長方向に移動するようスライド部片（セフティー片）を設けた構成である。そして、ポケットに筆記具を止着するときノック部と一緒にスライド部片を後退させておき、その状態で不用意にノック部が押されたとき、スライド部片がポケットの縁に当たって、ノック部の移動を阻止できるようにしている。
【０００３】
しかし、ポケット、ノート等の止着物が布地の柔らかい物、紙のように薄い物など、端縁の強度が弱い物であると、ノック部の移動を阻止するための十分な強度を期待することができない。そのため、ノック部が強く押されると、スライド部片に押されてポケットの縁が垂れ下ったり、折れ曲がったりし、クリップがポケットから外れたり、ノック部が移動してリフィールが前進し、ポケット等が汚染されてしまう。
【０００４】
また、ノック部の側面に凹部を形成し、この凹部に対応するフック部をクリップの後端に設け、クリップをポケット等に差し込んだとき、ノック部の凹部にフック部を引っ掛けることによりノック部の移動を拘束するようにした筆記具も提案されている（例えば特許文献２参照）。しかし、このような構成では、クリップに挟む物の厚さや強度によりフック部の移動量が変化し、凹部との係合が不確実になってノック部を拘束する作用が弱くなったり、強すぎてクリップが損傷したりするおそれがある。
【先行技術文献】
【特許文献】
【０００５】
【特許文献１】実公平５−１７２７５号公報（実用新案登録請求の範囲、第１図、第２図）
【特許文献２】特許第３６６４０１６号公報（特許請求の範囲、図１、図２）
【発明の概要】
【発明が解決しようとする課題】
【０００６】
本発明の解決課題は、ノック操作で筆記体を出没させるノック式筆記具において、ポケットの布地の強度やノート紙の厚さに拘わらず、クリップで筆記具をポケット等に止着した状態でノック部が不用意に押されても、筆記体が前進しないようにした誤動作防止機能付きノック式筆記具を提供することである。
【課題を解決するための手段】
【０００７】
本発明によれば、クリップを有する軸筒内に筆記体を進退可能に収納し、ノック部をノックすることにより筆記体を進退させて筆記先端を軸筒の先端から出没させるようにしたノック式筆記具において、軸筒の側面に軸筒の内方に移動可能に設けられたノックストッパーと、クリップを止着物に挟着したとき該止着物に押されてノックストッパーの後端を軸筒の内方に移動するようノックストッパーの外面に突出して形成された押し込み突起と、該ノックストッパーの後端が内方に移動したときノック部若しくは該ノック部の移動に連動する部材の前進移動軌跡内に突出するよう該ノックストッパーの後端に設けられた当接部を具備することを特徴とする誤動作防止機能付きノック式筆記具が提供され、好ましくは上記クリップの先端には、止着物に挟着する際、上記ノックストッパーの押し込み突起に止着物を展張状態に押し付けるようクリップ凸部が設けられていることを特徴とする上記誤動作防止機能付きノック式筆記具が提供され、上記課題が解決される。
【０００８】
また、本発明によれば、上記軸筒の側面にはノックストッパーの押し込み突起が出没する長溝が形成され、ノックストッパーには長溝の内縁側に接する浮上防止片が設けられており、上記クリップ凸部は長溝の両側に位置するよう対向状態に設けられた一対の突片を具備している誤動作防止機能付きノック式筆記具が提供される。
【発明の効果】
【０００９】
本発明は上記のように構成され、軸筒の側面には内方に移動可能にノックストッパーが設けられ、このノックストッパーの外面には、押し込み突起が突設されている。また、上記ノックストッパーの後端には、クリップを止着物に挟着したとき該止着物に押されて軸筒の内方に移動するよう当接部が設けられている。この当接部は内方に移動したときノック部若しくは該ノック部の移動に連動する部材、例えばリフィール、芯タンク等の前進移動軌跡内に突出する。また、軸筒に設けたクリップの先端には、該クリップを止着物に挟み込んだとき、止着物を展張状態に上記ノックストッパーの押し込み突起に押し付けるようクリップ凸部を設けてある。したがって、この構成によりクリップを止着物に挟着すると、押し込み突起はノックストッパーを押圧してノックストッパーの後端の当接部を軸筒の内方に移動し、ノック部や該ノック部に連動する部材に上記当接部を係合してその前進動を阻止する。この際、クリップ凸部により、止着物の強度や厚さに拘わらず止着物は展張に状態される。その結果、ポケット等に止着した状態で、ノック部が不用意にノックされても筆記先端が軸筒の先端から突出しないように筆記体を保持することができる。
【００１０】
上記軸筒の側面に、ノックストッパーの押し込み突起が出没する長溝を形成し、ノックストッパーに長溝の内縁側に接する浮上防止片を設けると、ノックストッパーが軸筒の側面から外方に持ち上がるのを防止でき、筆記の際に違和感がない。上記クリップ凸部として、長溝の両側に位置するよう対向状態に一対の突片を設けると、止着物を確実に押し込み突起に押し付けて展張状態に保持することができ、ノック部に大きな荷重が作用して当接部が強く押されてもノックストッパーが外方に湾曲するようなことがなく、ノックストッパーの移動が阻止され、確実に筆記体の前進を止めることができる。
【図面の簡単な説明】
【００１１】
【図１】本発明の一実施例を示し、筆記先端を後退させた状態の断面図。
【図２】クリップで挟着した状態の断面図。
【図３】内面にカム部を有するクリップの斜視図。
【図４】ノックストッパーの斜視図。
【図５】クリップが何も挟着していない状態の説明図。
【図６】クリップで止着物を挟着した状態の説明図。
【図７】回転カム式繰り出し機構の固定カムをノックストッパー本体の内面に形成した実施例を示し、リフィールが後退している状態の一部の断面図。
【図８】図７に示す実施例において、クリップで止着物を挟着した状態の一部の断面図。
【図９】内面に固定カムを形成したノックストッパー本体の斜視図。
【図１０】軸筒自体にノックストッパーを形成した実施例を示し、リフィールが後退している状態の一部の断面図。
【図１１】図１０に示す実施例において、クリップで止着物を挟着した状態の一部の断面図。
【図１２】ノックストッパーを形成した軸筒の一部を示す斜視図。
【図１３】ノック式シャープペンシルに本発明を適用した実施例を示す断面図。
【図１４】スプリング式クリップに本発明を適用した実施例の説明図。
【図１５】ノックストッパーを回転可能に枢着した実施例を示し、リフィールが後退している状態の一部の断面図。
【図１６】図１５に示す実施例において、クリップで止着物を挟着した状態の一部の断面図。
【図１７】回転式のノックストッパーを軸筒から分離した状態の斜視図。
【発明を実施するための形態】
【００１２】
本発明は、筆記体として液体マーカー、シャープペンシルその他適宜のものに適用することができるが、図１は、筆記体として、ボールペンのリフィールを有する本発明の一実施例を示している。図１において、軸筒１内にはリフィール２が進退可能（前後動可能）に収納され、ばね３で後方、図１においては上方に付勢されている。軸筒１の後部にはクリップ４が設けられ、ノック部５のノックによりリフィール２は長手方向に前進移動し、図１においては下方に移動するとその筆記先端６はテーパー部材７の開口部８から突出して筆記位置に保持される。前進位置から後退し図１に示す後退位置に戻ると、リフィール２の先端はテーパー部材７の開口部８内に没入し、軸筒１内に収納される。
【００１３】
ノック部５のノックによりリフィール等の筆記体を繰り出す機構としては、従来より知られている種々の機構を採用することができ、図１等に示す実施例では、一実施例として回転カム式繰出機構が示されている。周知の機構であるため、詳細な図示は省略するが公知のように回転カム式繰出機構のノック部５は、軸方向に開口する深溝と浅溝を交互に形成し該溝に案内するよう傾斜面を先端に設けた突片を有する固定カム９と、該固定カム９の先端の傾斜面に係合する傾斜面を後端に有し外周に上記深溝と浅溝に交互に進入するよう突片を形成した回転カム１０と、上記固定カム９の長溝に案内されて前後動し回転カム１０を回転させる傾斜面を先端に有するノックカム１１を具備し、回転カム１０の先端にはフランジ１２が形成され、リフィール２は、その後端が回転カム１０に接し、本発明において、ノック部５の移動に連動して移動する部材を構成している。
【００１４】
図１に示す実施例では、クリップ４は軸筒１の後端に挿入固定されるクリップ筒１３を有し、該クリップ筒１３の後部の内面に上記固定カム９が形成されている。該クリップ筒１３の外側には軸筒１の外周に沿って延びるクリップ片１４が形成され、該クリップ片１４の先端には、内方に突出するクリップ凸部１５が設けられている。通常、クリップは全体がプラスチック材料で成形され、クリップ凸部１５は、一対の突片１６を対向して設けた状態に一体成形される。金属板材料や金属線材料等の弾性材料でクリップ片１４をクリップ筒１３と別に形成してから組み合わせることもできる。この場合は、例えば金属板製クリップ片の先端を折り返してクリップ凸部を形成し、このクリップ凸部の中央に切込みを設けて一対の突片を形成したり、金属線材料でクリップ片を形成する際に金属線材料を折り曲げて一対の突片を一連に有するクリップ凸部を設けてもよい（図示略)。
【００１５】
上記クリップ片１４に対応する軸筒１の側面には、長溝１７が形成され、該長溝１７に対応するクリップ筒１３にもクリップ溝１８が形成され、図５に示すように、上記クリップ凸部１５の突片１６は、長溝１７の外面の両側に対向状態に接している。該軸筒１の長溝１７には、ノックストッパー１９が出没可能に設けられている。図１に示す実施例では、ノックストッパー１９は、軸筒１内に挿入される筒状のノックストッパー本体２０と、該ノックストッパー本体２０の後端から後方に片持ち状態に延び先端が少し弾性的に外方に傾斜して位置する板状の弾性片２１を具備し、該弾性片２１の中間部には上記長溝１７から突出するよう軸方向に沿って徐々に隆起する押し込み突起２２を形成してある。該弾性片２１の後部は、上記クリップ４に形成したクリップ溝１８に挿入可能でかつ軸方向の荷重に対して耐荷重のある幅広の受片２３が形成され、該受片２３の後端が当接部２４となっている。また、弾性片２１の中間部の裏面側には、上記長溝１７の内縁部に係合する浮上防止片２５を設けてあり、上記弾性片２１の弾性力により弾性片２１の受片２３側が外方に傾くようなことがあっても、長溝１７に接するから位置から外方には弾性片２１が持ち上がらないようにしてある。
【００１６】
実施例においては、上記ノックストッパー１９の弾性片２１の当接部２４は、リフィール２が後退位置にあるとき、上記ノック部５の回転カム１０に近接する位置に待機している。なお、ノック部に連動する部材である上記リフィール２の外周に適宜の環状の係止突部（図示略）を設けて、当接部が該係止突部に近接して待機するようにしてもよい。クリップ４を使用していない状態では、弾性片２１には外向きの弾性力が作用しているので、上記当接部２４は外方に付勢され、ノック部５の前進する際の移動軌跡内には突出していないから、通常のノック操作による繰り出し動作に支障を生じることはない。そして、上記押し込み突起２２が止着物２６により押されると、弾性片２１の当接部２４は軸筒の内方に移動し、該当接部２４は、ノック部５の前進移動軌跡内に突出する。
【００１７】
上記の構成によりクリップ４をポケット、ノート等の止着物２６に挟着したとき、止着物２６が押し込み突起２２に当たってノックストッパー１９が内方に押され、ノックストッパー１９の弾性片２１は、軸筒の内方に弾性的に傾き、当接部２４は上記回転カム１０の移動軌跡内に突出し、上記回転カム１０のフランジ１２や図示を省いたリフィールの係止突部に係合可能な位置に移動する。したがって、不用意にノック部５が押されたときは、当接部２４に回転カム１０が当たって、ノック部５の前進が妨げられ、リフィール２の筆記先端６が軸筒１の先端から突出しないようにすることができる。また、止着物２６が薄い布地や強度が弱い紙であっても、図６に示すように、クリップ凸部１５を構成する一対の突片１６が長溝１７の両側に弾性的に接することにより止着物２６は展張された状態で押し込み突起２２に接し、ノック部５が強く押されても、膨らんだり、緩むことがなく、確実にノック部５の前進を阻止することができる。    
【００１８】
上記実施例では、固定カム９をクリップ４の筒状のクリップ筒１３内に設けたが、この固定カム９は、軸筒側の部材、例えばノックストッパーを構成する部材側に設けることもできる。図７〜図９を参照し、ノックストッパー１９は、全長が軸筒１に内接するように筒状のノックストッパー本体２７を有し、該ノックストッパー本体２７の後部の内面に固定カム９を設けてある。ノックストッパー本体２７の壁面には、略コ字状の切込み２８を形成してあり、該切込み２８を形成することにより画成された部分が弾性片２９となっている。そして、この弾性片２９の外面に押し込み突起３０を設け、後端に当接部３１を設けてある。
【００１９】
上記の構成により、図７に示すように、クリップ４を止着物２６に挟着していないときは、ノック部５の操作は自由であるが、クリップ４を止着物２６に挟着すると、図８に示すように、弾性片２９の当接部３１がノック部５の前進移動軌跡内、図においては回転カム１０に接する位置に移動し、ノック部５の前進を拘束することができる。
【００２０】
上記ノックストッパー１９は、軸筒１自体に形成することもできる。図１０〜図１２を参照し、筒状の軸筒１の壁面に、略コ字状の切込み３２を形成し、該切込み３２を形成することにより画成された部分を弾性片３３としている。そして、この弾性片３３の後端に当接部３４を設け、中間部に押し込み突起３５を設けてある。
【００２１】
上記の構成により、図１０に示すように、クリップ４を止着物２６に挟着していないときは、ノック部５の操作は自由であるが、クリップ４を止着物２６に挟着すると、図１１に示すように、弾性片３３の当接部３４がノック部５の前進移動軌跡内、図においては回転カム１０に接する位置に移動し、ノック部５の前進を拘束することができる。
【００２２】
上記各実施例は筆記体がボールペンリフィールである場合について説明したが、筆記体としてノック式シャープペンシルに本発明を適用することもできる。図１３は、ノック式シャープペンシル３６を示し、軸筒１内には先端に芯チャック３７及びクラッチ３８を有する芯タンク３９が収納され、ノックスプリング４０により、図１３において、上方に付勢されている。芯タンク３９の後部には、ノック部５として消しゴム４１を囲むキャップ４２が設けられ、軸筒１の後端にはクリップ付きの尾栓が嵌着され、公知のようにキャップを押圧して芯を繰り出すので、本発明において、上記芯タンク３９は、ノック部の移動に連動する部材を構成している。
【００２３】
上記芯タンク３９の後部の外周には環状の係止突部４３が設けられている。また、軸筒には、図１の実施例と同様のノックストッパー１９が設けられ、該ノックストッパー１９の弾性片２１の外面に形成した押し込み突起２２が軸筒１の長溝１７から突出している。該ノックストッパー１９の弾性片２１の後端に設けられた当接部２４は、図１３に示すように、上記芯タンク３９の外周に設けた係止突部４３に近接している。この当接部２４は、ノックストッパー１９の弾性片２１が止着物２６により内方に移動したとき、上記芯タンク３９が前進する際の移動軌跡内、具体的には、係止突部４３の移動軌跡内に入り込み、ノック部５が不用意にノックされたとき、その移動を阻止する。したがって、芯タンク３９が前進して芯が軸筒の先端から繰り出されてポケット等を汚染するようなことはない。
【００２４】
上記各実施例においては、クリップ４のクリップ片１４はクリップ筒１３と一体的に形成されてクリップ片１４自体の弾性作用で止着物２６に挟着するようになっているが、図１４に示すように、クリップ筒４３の外部にクリップ片４４を枢着４５してばね４６でバインダー式に挟着するスプリング式クリップにしてもよい。
【００２５】
上記各実施例においては、一端がノックストッパー本体２０に連結された片持ち式の弾性片２１を押し込み突起２２で内方に押し込んで揺動させて当接部２４を移動する構成であるが、ノックストッパーを回転式に枢着して当接部を移動させることもできる。図１５〜図１７は、回転式のノックストッパー４７の一実施例を示し、軸筒１に設けた長溝４８には、支軸４９が長溝４８の両側に渡設され、一端側には回転止ストッパー５０が設けられている。ノックストッパー４７は、上記支軸４９に回動可能にはめ込まれる軸孔５１を中間部の下面に開口した回転片５２を有し、該回転片５２の外面には押し込み突起５３が形成され、後端には当接部５４が設けられている。回転片５２の前端と上記軸孔間の長さは、上記回転片の後端と軸孔間の距離よりも短い長さであり、止着物２６にクリップ４を挟着していない状態のとき、上記回転止ストッパー５０に対応する位置に回転片５２の前端が延びている。軸筒１の後部に取り付けられるクリップ４は、止着物２６を挟着するクリップ片１４とクリップ凸部１５を有し、止着物２６に挟着していない状態のとき、該クリップ凸部１５は上記回転片５２の前部に当たって回転片５２の当接部５４が内方に傾かないように保持している（図１５）。そして、止着物２６を挟着すると、クリップ凸部１５は回転片５２の前部から離れ、押し込み突起５３が押されるので、回転片５２は回動し、当接部５４は軸筒の内方に移動してノック部５の前進移動軌跡内に突出し、回転カム１０に係合し（図１６）、ノック部が不用意に押されてもリフィールが前進されないように保持する。
【００２６】
なお、上記回転片側に突軸を設け、軸筒側に軸孔を設けて回転片を回転可能に連結したり、軸筒の外面に凸部を設け、該凸部と回転片に挿通孔を形成し、回転軸を連通して挿入することにより、回転片を回転可能に設けてもよい。
【符号の説明】
【００２７】
１    軸筒
２    リフィール
４    クリップ
５    ノック部
９    固定カム
１０  回転カム
１１  ノックカム
１４  クリップ片
１５  クリップ凸部
１６  突片
１９  ノックストッパー
２１、２９、３３  弾性片
２２、３０、３５、５３  押し込み突起
２３  受片
２４、３１、３４、５４  当接部
２５  浮上防止片
２６  止着物
３９  芯タンク
４７  回転式ノックストッパー
５２  回転片
【図１】
2018192677.tif 000003
【図２】
2018192677.tif 000004
【図３】
2018192677.tif 000005
【図４】
2018192677.tif 000006
【図５】
2018192677.tif 000007
【図６】
2018192677.tif 000008
【図７】
2018192677.tif 000009
【図８】
2018192677.tif 000010
【図９】
2018192677.tif 000011
【図１０】
2018192677.tif 000012
【図１１】
2018192677.tif 000013
【図１２】
2018192677.tif 000014
【図１３】
2018192677.tif 000015
【図１４】
2018192677.tif 000016
【図１５】
2018192677.tif 000017
【図１６】
2018192677.tif 000018
【図１７】
2018192677.tif 000019